(57)【要約】      （修正有）【課題】汎用品である、六角長ナットと固定用ボルトを利用したものでありながら、専用品である高価な鍔付きの長ナットを用いた従来タイプの埋込み式アンカーと同等の機能を有する高機能、且つ、廉価な、埋込み式アンカーを提供する。【解決手段】固定用ボルト１３を挿通可能なボルト孔が形成されている水平プレート部と、水平プレート部の外縁端部に形成されている一対の立ち上がりプレート部１１２と、を備え、一対の立ち上がりプレート部１１２の中央近傍部分には、脱落防止用返し部が形成されていて、一対の立ち上がりプレート部１１２の両側辺部には、供回り防止用爪部が形成されているクリップ金物１１とする。【選択図】図２
2015194068.tif 000002
【特許請求の範囲】
【請求項１】
固定用ボルトと六角長ナットとの螺合体を含んでなる埋込み式アンカー用のクリップ金物であって、
前記固定用ボルトの軸部を挿通可能であって、前記固定用ボルトの頭部は挿通不可能である円形のボルト孔が形成されている水平プレート部と、
前記水平プレート部の中心に対して互いに対称な位置にある一対の外縁端部に垂直に立ち上がる態様で形成されている一対の立ち上がりプレート部と、を備え、
前記一対の立ち上がりプレート部の中央近傍部分には、脱落防止用返し部が形成されていて、該脱落防止用返し部は、立ち上がりプレート部の中央近傍の一部分が、前記水平プレート部の外周から更に外側に向かう方向に折り返されて形成されている部分であって、
前記一対の立ち上がりプレート部の両側辺部には、供回り防止用爪部が形成されていて、該供回り防止用爪部は、立ち上がりプレート部の主たる平面部に対して１２０°の角をなすように該立ち上がりプレート部の両側辺部分が折り返されて形成されている部分である、クリップ金物。
【請求項２】
請求項１に記載のクリップ金物を介して、六角長ナットと、固定用ボルトと、が、アンカープレートに固定されている埋込み式アンカーであって、
前記クリップ金物の立ち上がりプレート部の主たる平面部と前記供回り防止用爪部が、前記六角長ナットの側面に契合している埋込み式アンカー。
【請求項３】
前記固定用ボルトと前記クリップ金物との間に更に平座金が配置されている請求項２に記載の埋込み式アンカー。
【請求項４】
前記平座金の表面の中央部に、前記六角長ナットの底面の外接円を取り囲むことができる大きさで、該表面の外縁近傍部分よりも相対的に低位の表面を有する内円凹部が形成されている請求項３に記載の埋込み式アンカー。
【請求項５】
請求項２から４のいずれかに記載の埋込み式アンカーが埋設されてなる軽量気泡コンクリートパネル。
【発明の詳細な説明】
【技術分野】
【０００１】
本発明は、軽量気泡コンクリートパネル（以下、「ＡＬＣパネル」と言う）内に埋設される埋込み式アンカーの一部を構成する、埋込み式アンカー用のクリップ金物、及び、それを用いた埋込み式アンカーに関する。
【背景技術】
【０００２】
従来、外壁として高取付け耐力を必要とされるＡＬＣパネルにおいては、予めパネル内に埋設される補強鉄筋の所定の位置に、埋込み式アンカーを溶接固定している。従来の埋込み式アンカーは補強鉄筋に溶接固定するプレートと建物躯体に取付け用ボルトを介して連結するための長ナットとして、その一端に鍔部分を有する長ナットを用いて構成されるものが専ら用いられていた。尚、長ナットとプレート部は、簡易に形成可能なクリップ金物で係止され一体構成されている（特許文献１参照）。
【０００３】
しかしながら、その一端に、一体形成された鍔部分を有する特許文献１に記載の長ナットは、独自の加工工程を経なければ得ることができない専用品であるため、製造コストが嵩むという欠点があった。
【０００４】
この欠点を解消するための手段として、一般に広く流通する汎用品である六角長ナット、固定用ボルト、平座金による構成で、上記の専用品たる長ナットと同様の機能を持たせることを企図した安価な埋込み式アンカーが開示されている（非特許文献１）。この安価な埋込み式アンカーは、汎用品である鍔部分を有さない六角長ナットを用い、同じく汎用品である固定用ボルトによって六角長ナットの端部に固定される平座金に、上記専用品における鍔部分の果たしていた機能を果たさせるものとしている。
【先行技術文献】
【特許文献】
【０００５】
【特許文献１】特開２０００−２７３９６８号公報
【非特許文献】
【０００６】
【非特許文献１】発明推進協会公開技報  公技番号  ２０１３−５０１９７６
【発明の概要】
【発明が解決しようとする課題】
【０００７】
汎用部品の活用により、製造コストを低減した非特許文献１に記載の埋込み式アンカーは、従来タイプの専用品が抱える経済性の問題を大きく改善するものであった。しかしこのタイプの埋込み式アンカーは、鍔部分が一体形成された従来の専用品と比較して、ＡＬＣパネルの躯体への取付け時における取付け用ボルトの締め付けに際して、過トルクにより、六角長ナットと取付け用ボルトの供回りが発生し易いという欠点があった。このような供回りが発生すると、一体化された埋込み式アンカーとしての強度や耐久性、ＡＬＣパネルの取付け精度等に様々な問題が生じるため、特に高い耐久性を求められる構造物に用いる場合等においては、依然として、経済性を犠牲にして、従来タイプの専用品たる埋込み式アンカーを選択せざるをえない場合が多かった。
【０００８】
本発明は、埋込み式アンカーを構成する部材として、一般に広く流通する汎用品である、六角長ナットと固定用ボルトを主として用いたものでありながら、専用品である高価な鍔付きの長ナットを用いた従来タイプの埋込み式アンカーと同等の機能を有し、且つ、経済性にも優れる、埋込み式アンカーを提供することを目的とする。
【課題を解決するための手段】
【０００９】
本発明者らは、埋込み式アンカーを形成する六角長ナットをアンカープレートに係止するために用いるクリップ金物を、その一対の立ち上がりプレート部の両側辺部に、六角長ナットと実質的に隙間無く契合可能な供回り防止用爪部が形成されている形状のクリップ金物とすることで、ＡＬＣパネルの躯体への取付け時における、上記の過トルクによる供回りの問題を回避することができることを見出し、本発明を完成するに至った。具体的には、本発明は以下のものを提供する。
【００１０】
（１）  固定用ボルトと六角長ナットとの螺合体を含んでなる埋込み式アンカー用のクリップ金物であって、前記固定用ボルトの軸部を挿通可能であって、前記固定用ボルトの頭部は挿通不可能である円形のボルト孔が形成されている水平プレート部と、前記水平プレート部の中心に対して互いに対称な位置にある一対の外縁端部に垂直に立ち上がる態様で形成されている一対の立ち上がりプレート部と、を備え、前記一対の立ち上がりプレート部の中央近傍部分には、脱落防止用返し部が形成されていて、該脱落防止用返し部は、立ち上がりプレート部の中央近傍の一部分が、前記水平プレート部の外周から更に外側に向かう方向に折り返されて形成されている部分であって、前記一対の立ち上がりプレート部の両側辺部には、供回り防止用爪部が形成されていて、該供回り防止用爪部は、立ち上がりプレート部の主たる平面部に対して１２０°の角をなすように該立ち上がりプレート部の両側辺部分が折り返されて形成されている部分である、クリップ金物。
【００１１】
（１）の発明によれば、ＡＬＣパネルに埋設して用いる埋込み式アンカーを、一般に広く流通する廉価な汎用品である六角長ナットと固定用ボルトを螺合させてなる螺合体を主たる構成部分としたものとした。その上で更に、独自に開発した特殊な形状のクリップ金物を螺合部分に介在させた。この構成により、ＡＬＣパネルの躯体への取付け時における過トルクによる上記の供回りの問題を回避することができる。即ち、（１）の発明を用いることにより、専用品である高価な鍔付きの長ナットを用いた従来タイプの埋込み式アンカーと同等の機能を有し、且つ、経済性にも優れる、埋込み式アンカーを製造することができる。
【００１２】
（２）  （１）に記載のクリップ金物を介して、六角長ナットと、固定用ボルトと、が、アンカープレートに固定されている埋込み式アンカーであって、前記クリップ金物の立ち上がりプレート部の主たる平面部と前記供回り防止用爪部が、前記六角長ナットの側面に契合している埋込み式アンカー。
【００１３】
（２）の発明によれば、（１）の発明同様に、汎用品のみから構成可能な埋込み式アンカーでありながら、当該埋込み式アンカーを、専用品である高価な鍔付きの長ナットを用いた従来タイプの埋込み式アンカーと同等の機能を有し、且つ、経済性にも優れる、埋込み式アンカーとすることができる。
【００１４】
（３）  前記固定用ボルトと前記クリップ金物との間に、更に平座金が配置されている（２）に記載の埋込み式アンカー。
【００１５】
（３）の発明によれば、固定用ボルトの頭部のサイズに関わらず（２）に記載の埋込み式アンカーの強度や耐久性、ナット部分の取付け角度の精度を、十分に、且つ、容易に向上させることができる。
【００１６】
（４）  前記平座金の表面の中央部に、前記六角長ナットの底面の外接円を取り囲むことができる大きさで、該表面の外縁近傍部分よりも相対的に低位の表面を有する内円凹部が形成されている（３）に記載の埋込み式アンカー。
【００１７】
（４）の発明によれば、（３）に記載の発明の埋込み式アンカーにおける、クリップ金物を介した、六角長ナット、とアンカープレートとの契合の安定性と強度を更に向上させることができる。
【００１８】
（５）  （２）から（４）のいずれかに記載の埋込み式アンカーが埋設されてなる軽量気泡コンクリートパネル。
【００１９】
（５）の発明によれば、軽量気泡コンクリートパネルを用いた構造体の品質安定性を保持したまま総製造コストを低減させて経済性を高めることができる。又、埋込み式アンカーが予め埋設されているので、アンカーを後加工によって埋設する手数が省略できる利点もある。更には、取付け強度も向上するので、高さ３１ｍを超えるような建築物の高層部にもＡＬＣパネルを好ましく用いることができる。
【発明の効果】
【００２０】
本発明によれば、埋込み式アンカーを構成する部材として、一般に広く流通する汎用品である六角長ナットと固定用ボルト１３を主として用いたものでありながら、専用品である高価な鍔付きの長ナットを用いた従来タイプの埋込み式アンカーと同等の機能を有し、且つ、経済性に優れる、埋込み式アンカーを提供することができる。
【図面の簡単な説明】
【００２１】
【図１】本発明の埋込み式アンカーの斜視図である。
【図２】本発明の埋込み式アンカーの分解斜視図である。
【図３】本発明の埋込み式アンカー用のクリップ金物の斜視図である。
【図４】本発明の埋込み式アンカーにおける、クリップ金物と六角長ナットとの契合の態様の説明に供するアンカー金物の部分拡大側面図である。
【図５】本発明の埋込み式アンカーにおける、クリップ金物と六角長ナットとの契合の態様の説明に供するアンカー金物の部分拡大側面図である。
【図６Ａ】本発明の埋込み式アンカーにおける、クリップ金物と六角長ナットとの契合の態様の説明に供する契合部の上面側の部分拡大図である。
【図６Ｂ】本発明の埋込み式アンカーにおける好ましい他の実施形態の一例の説明に供する図面であり、当該実施形態におけるクリップ金物と六角長ナットとの契合の態様の説明に供する契合部の上面側の部分拡大図である。
【図７】本発明の埋込み式アンカーが埋設されてなる軽量気泡コンクリートパネルの構成を模式的に示す断面図である。
【図８】本発明の埋込み式アンカーにおける、平座金の好ましい一形態例の説明に供する斜視図である。
【図９Ａ】本発明の埋込み式アンカーの実施形態の一例の説明に供する側面側部分断面図であり、内部構成の説明のために部分的にその断面構造を示した図である。
【図９Ｂ】本発明の埋込み式アンカーの実施形態の好ましい他の一例の説明に供する側面側の部分断面図であり、内部構成の説明のために部分的にその断面構造を示した図である。
【発明を実施するための形態】
【００２２】
以下、本発明の埋込み式アンカー用のクリップ金物（以下、単に「クリップ金物」とも言う）、埋込み式アンカー、軽量気泡コンクリートパネルのそれぞれの好ましい実施形態について説明する。但し、本発明は、下記の実施形態に限定されるものではない。
【００２３】
＜クリップ金物＞
クリップ金物１１は、図１及び図２に示す通り、埋込み式アンカー１において、固定用ボルト１３を六角長ナット１２に螺合する際に固定用ボルト１３と六角長ナット１２との間に配置して用いる補助金具である。
【００２４】
図３に示す通り、クリップ金物１１は、その中心にボルト孔１１１ａが形成されているドーナッツ状の水平プレート部１１１と、水平プレート部１１１の中心に対して互いに対称な位置である一対の外縁端部に垂直に立ち上がる態様で一体形成されている一対の立ち上がりプレート部１１２と、を備える。
【００２５】
水平プレート部１１１には、その中央部分に、固定用ボルト１３の軸部１３１と略同径であり、軸部１３１を挿通可能であって、固定用ボルト１３の頭部１３２を挿通不可能な大きさの円形のボルト孔１１１ａが形成されている。
【００２６】
立ち上がりプレート部１１２には、その中央近傍部分に、六角長ナット１２が、埋込み式アンカー１において、アンカープレート１５から脱落することを防止するための、脱落防止用返し部１１２ｂが形成されていることが好ましい。脱落防止用返し部１１２ｂは、立ち上がりプレート部１１２の中央近傍部分の一部が、水平プレート部１１１の外周から更に外側に向かう方向に折り返されて形成されている。
【００２７】
又、立ち上がりプレート部１１２には、その両側辺部に水平プレート部１１１の外周に沿って内向きに、立ち上がりプレート部１１２の主たる平面部に対して１２０°の角をなすように折り返されている供回り防止用爪部１１２ａが形成されている。
【００２８】
埋込み式アンカーの製造に、上記構成を有するクリップ金物１１を用いることにより、図４及び図５に示す通り、六角長ナット１２と固定用ボルト１３との螺合によって、クリップ金物１１、平座金１４を含めて一体化された螺合体において、立ち上がりプレート部１１２の主たる平面部のみならず、その両端部に形成された一対の供回り防止用爪部１１２ａが、併せて六角長ナット１２の側面に契合する構成となる。これにより、ＡＬＣパネルの躯体への取付け時における上記の供回りを防止して、ＡＬＣパネルと躯体とを十分に強固に締結することができる。
【００２９】
＜平座金＞
平座金１４については、汎用品たる一般的な部材を用いることができる。但し、図８に示すような中央部に内円凹部１４１が形成されている特殊形状からなる平座金１４Ａを用いることにより、クリップ金物１１を介した六角長ナット１２とアンカープレート１５との契合の安定性と強度を更に向上させることができる。内円凹部１４１とは、図８に示す通り、平座金１４Ａの表面の中央部に、六角長ナット１２の底面の外接円を取り囲むことができるだけの大きさで、平座金１４Ａの表面の外縁近傍部分１４２よりも相対的に低位の表面を有するように形成されている円形状の外縁を有する面部分のことである。
【００３０】
図９Ａとの対比で図９Ｂから分かる通り、平座金として特殊形状からなる平座金１４Ａを配置することによって、クリップ金物１１の底面及び六角長ナット１２の底面がアンカープレート１５の表面よりも低位に同表面に陥入される態様で配置されることとなるため、上記の通り、それらの間の契合の安定性と強度をより向上させることができる。
【００３１】
＜埋込み式アンカー＞
次に、本発明の好ましい実施形態である埋込み式アンカー１の構成について説明する。図１及び図２に示す通り、埋込み式アンカー１は、クリップ金物１１、六角長ナット１２、固定用ボルト１３、アンカープレート１５、及び、平座金１４を含んで構成される。埋込み式アンカー１を形成する六角長ナット１２と固定用ボルト１３とは、それらの間に、クリップ金物１１、及び平座金１４を介して、互いに螺合されている。そして、この六角長ナット１２と固定用ボルト１３とが螺合されてなる螺合体において、当該螺合体に固定された平座金１４が、従来の専用ナットにおける鍔部分の機能を果たしている。
【００３２】
尚、固定用ボルト１３の頭部１３２の径が必要十分な大きさと形状を有するものである場合には、頭部１３２に上記鍔部分の係止機能を果たさせることも可能である。この場合においては、必ずしも平座金１４は必須ではない。但し、入手容易な汎用品であるナットとボルトとの組合せにおいては、ナット径とボルトの頭部径は略等しいことが一般的であるため、多くの場合は、汎用品たる平座金１４を用いることによって、上記の係止機能を果たさせることが経済性の観点からは有利である場合が多い。
【００３３】
この六角長ナット１２と固定用ボルト１３とを螺合してなる螺合体は、該螺合体における六角長ナット１２の部分が、アンカープレート１５のナット孔１５ａに挿通されており、その状態でクリップ金物１１の脱落防止用返し部１１２ｂの先端がアンカープレート１５のナット孔１５ａの外縁よりも外側に張り出す構成となっている。そして、この構成により、上記の螺合体のアンカープレート１５からの脱落を防止できる。
【００３４】
埋込み式アンカー１を構成する各部材のうち、その詳細を上記に示したクリップ金物１１以外の各部材として、六角長ナット１２、固定用ボルト１３、については、それぞれ、市場において入手容易な各部材の汎用品をそのまま用いることが可能である。平座金１４も外径がアンカープレート１５のプレートのナット孔１５ａよりも大きくプレートの幅よりも小さいものであって、固定用ボルト１３のボルト径に合わせた丸穴を有するものでありさえすれば、同様に汎用品を用いることができる。又、アンカープレート１５についても、図２に示すようにその中心に六角長ナット１２を貫通させるための六角形の開口であるナット孔１５ａが形成されているものであれば特段の限定なく従来品を用いることができる。
【００３５】
ここで、上記のナット孔形状は、必ずしも図６Ａに示すナット孔１５ａのように正六角形形状、若しくはそれに準ずる略正六角形形状であることが必須ではない。例えば、クリップ金物１１の供回り防止用爪部１１２ａ等の形状や厚みに応じて、ナット孔の形状を上部部分との契合性をより高めるために、必要に応じて、部分的に開口形状を拡大して変形形成することにより、クリップ金物１１とナット孔の間の不要な隙間を減らして、両部品間の契合の強度を向上させ、より強いトルクがかかった場合であっても供回りを防止することができる。具体的な一例として、図６Ｂに示すように、ナット孔の開口形状を、図６Ｂに示すナット孔１５ｂのような形状に変形形成したものを本発明のより好ましい実施形態の一例として挙げることができる。
【００３６】
そして、埋込み式アンカー１は、図４〜図６に示す通り、立ち上がりプレート部１１２の主たる平面部と供回り防止用爪部１１２ａが、六角長ナット１２の側面に対してほぼ隙間のない態様で契合する構成となっている。これにより、ＡＬＣパネルの躯体への取付け時に、六角長ナット１２に強力な過トルクかかった場合にも、ＡＬＣパネルと躯体とが十分に強固に締着されるよりも前に、六角長ナット１２が取付け用ボルトと供回りしてしまうことを防止することができる。よって、上記の通り、本願発明者の創意工夫による特有形状を有するクリップ金物１１を介在させることの他は、廉価な汎用品の組合せからなるものでありながら、埋込み式アンカー１を、従来の専用部材からなる高価な専用品と同等の機能を有するものとすることができる。
【００３７】
ＡＬＣパネルを用いた構造物の強度と耐久性を必要十分なものとするためには、埋め込み式アンカー金物自体にも高度の強度と耐久性が求められる。実際に比較例として、供回り防止用爪部１１２ａを有さないことの他は、上記のクリップ金物１１と同様の構成からなるクリップ金物を用い、その他の部材については埋込み式アンカー１の部材と同一の部材を用いたアンカーを製造した場合には、施工時の通常の締め付けトルク（２０Ｎ・ｍ以下）よりやや強いトルク（４０Ｎ・ｍ程度）をかけて締め付けた場合に、六角長ナット１２の供回りが生じて、十分な締め付けを行うことができなかった。一方、本発明のクリップ金物１１を用いた埋込み式アンカー１を用いた場合には、上記と同等の強いトルクをかけた場合でも共回りは発生せず、十分な締付けを行うことができた。このようにトルクの許容範囲に余裕があると、例えば、ナット内への微細な異物の混入等、何らかの軽微な異常に起因する過トルクが発生した場合であっても供回りすることがないため、異物を除去した後に締付け作業をやり直し、適正なトルクで締付けが可能である。これにより、本発明のクリップ金物１１を用いた埋込み式アンカー１によれば、ＡＬＣパネルを用いた建築現場における建造物の生産性向上に大きく寄与することができる。
【００３８】
＜軽量気泡コンクリートパネル（ＡＬＣパネル）＞
図７にその断面構成を模式的に示したＡＬＣパネル２のように、六角長ナット１２を備えた埋込み式アンカー１を、予めパネル内に埋設することによって、ＡＬＣパネルの取付け作業を効率化するとともに、取付け強度を向上させ、高さ３１ｍを超えるような建築物の高層部にも適応可能とすることができる。
【００３９】
ＡＬＣパネル２の製造工程では、埋込み式アンカー１のアンカープレート１５を、ＡＬＣパネル２の両端部近辺の所望位置の補強用鉄筋２ａに固着しておく。そして、六角長ナット１２の先端開口部には、スラリーの注入時に、ナット孔へスラリーが流入するのを防止するとともに、オートクレーブ養生後に開口し易いように、オートクレーブ時に粉化又は溶融する材質の栓又は蓋を取り付けておくことが好ましい。
【００４０】
この状態でスラリーを注入して、発泡硬化させる。所望時間経過後に、得られた半可塑性体を型枠から取り出して、ピアノ線等で所望厚さに切断し、オートクレーブに装入して、高温高圧で蒸気養生すれば、埋込み式アンカー１が補強用鉄筋２ａに固着された状態で埋設されたＡＬＣパネル２を得ることができる。ＡＬＣパネル２は、所望外形寸法に切断されたり、小口面の面取りや、溝加工をされたり、必要に応じ表面に模様を切削加工される等の仕上げ工程を経て製品化される。
【００４１】
このＡＬＣパネル２には、埋込み式アンカー１が予め埋設されているので、アンカーを後加工によって埋設する手数が省略できる利点がある。更に、取付け強度も向上するので、高さ３１ｍを超えるような建築物の高層部にも使用することができる。
【符号の説明】
【００４２】
１                  埋込み式アンカー
１１                クリップ金物
１１１              水平プレート部
１１１ａ            ボルト孔
１１２              立ち上がりプレート部
１１２ａ            供回り防止用爪部
１１２ｂ            脱落防止用返し部
１２                六角長ナット
１３                固定用ボルト
１３１              軸部
１３２              東部
１４                平座金
１５                アンカープレート
１５ａ、１５ｂ      ナット孔
２                  軽量気泡コンクリートパネル（ＡＬＣパネル）
【図１】
2015194068.tif 000003
【図２】
2015194068.tif 000004
【図３】
2015194068.tif 000005
【図４】
2015194068.tif 000006
【図５】
2015194068.tif 000007
【図６Ａ】
2015194068.tif 000008
【図６Ｂ】
2015194068.tif 000009
【図７】
2015194068.tif 000010
【図８】
2015194068.tif 000011
【図９Ａ】
2015194068.tif 000012
【図９Ｂ】
2015194068.tif 000013